(57)【要約】    【課題】      データを連送する場合でも、通信のスループットを向上させたまま、消費電力を抑えること。    【解決手段】  移動対通信装置１０１では、受信部１０２が基地局１００からデータを受信すると、再送要求判定部１０６が受信データの電界強度を測定し、電界強度に基づいて通信状態を判断し、その通信状態に基づいてデータの信頼度を更新し、データの信頼度が所定の閾値を超えない場合には、その通信状態に対応した再送回数を、送信部１０４を介し基地局１００へ送信する。すると、基地局１００は、その再送回数だけ移動体通信端末１０１に対しデータを再送する。データの信頼度が所定の閾値を超えた場合、デコーダ部１０３は、再送されてきたデータを復号して前のデータと合成し、合成したデータについて誤り訂正処理を行ない、誤り判定部１０５が誤りの有無を判定する。  【選択図】      図１
2006109155.tif 000002
【特許請求の範囲】
【請求項１】
基地局を介して他の移動体通信装置との間でデータ通信を行う移動体通信装置であって、
データを受信する度に通信状態を判定し、判定した通信状態に基づいてそのデータを再送するよう前記基地局に対し要求する再送要求判定部と、
前記基地局が複数回送信した同一データを復号して１のデータに合成し、その合成データについて誤り訂正処理を行うデコーダ部と、
を具備することを特徴とする移動体通信装置。
【請求項２】
前記再送要求判定部は、判定した通信状態に基づいてデータを再送するよう前記基地局に対し要求する際、判定した通信状態に応じた再送回数だけそのデータを再送するよう前記基地局に対し要求する、
ことを特徴とする請求項１記載の移動体通信装置。
【請求項３】
前記再送要求判定部は、データを受信する度に通信状態を判定する際、判定した通信状態に応じたデータ信頼度を、そのデータと同一データを前に受信したときのデータ信頼度に加算して更新し、更新したデータ信頼度が所定の閾値を超えない場合には、そのデータを再送するよう前記基地局に対し要求する一方、更新したデータの信頼度が所定の閾値を超えた場合、前記デコーダ部に対し前記合成データの誤り訂正処理を実行させる、
ことを特徴とする請求項１または請求項２記載の移動体通信装置。
【請求項４】
さらに、前記デコーダ部により誤り訂正処理をされた前記合成データに誤りがあるか否かを判定する誤り判定部、を備え、
前記再送要求判定部は、さらに、前記誤り判定部により誤り訂正処理をされた合成データに誤りがあると判定された場合は、そのデータの誤り率に応じた再送回数だけそのデータを再送するよう前記基地局に対し要求する、
ことを特徴とする請求項１〜請求項３のいずれかの請求項に記載の移動体通信装置。
【請求項５】
基地局を介して他の移動体通信装置との間でデータ通信を行う移動体通信装置の無線通信方法であって、
データを受信する度に通信状態を判定し、判定した通信状態に基づいてそのデータを再送するよう前記基地局に対し要求すると共に、前記基地局が複数回送信した同一データを復号して１のデータに合成し、その合成データについて誤り訂正処理を行う、
ことを特徴とする無線通信方法。
【請求項６】
基地局を介して他の移動体通信装置との間でデータ通信を行う移動体通信装置の無線通信用プログラムであって、
データを受信する度に通信状態を判定し、判定した通信状態に基づいてそのデータを再送するよう前記基地局に対し要求すると共に、前記基地局が複数回送信した同一データを復号して１のデータに合成し、その合成データについて誤り訂正処理を行う、
ことを移動体通信装置に実行させることを特徴とする無線通信用プログラム。
【発明の詳細な説明】
【技術分野】
【０００１】
本発明は、基地局を介し他の移動体通信装置とＣＤＭＡ方式等の無線通信方式により通信を行う移動体通信装置、無線通信方法、無線通信用プログラムに関する。
【背景技術】
【０００２】
近年、無線通信システムにおける通信の主流は音声通信のほかにデータ通信の重要性が増している。これは、マルチメディア通信の需要が急増したこと、携帯電話におけるメールの通信も、画像、動画を配信することも多くなってきたからである。このとき、データの通信は、主にデータをパケットに分割して行われている。
【０００３】
従来のＣＤＭＡ方式のパケット通信における移動体通信装置での動作を説明すると、基地局から送信されたデータを移動体通信装置が受信し、受信部により受信したデータを復号する。復号されたデータに対して、デコーダ部で誤り訂正処理を行う。誤り判定部でデータに誤りが発生しているか判定し、データに誤りが無ければ受信データとして採用し、基地局に対して、データ受信完了のＡＣＫ信号を送信する。基地局は移動体通信装置からのデータ受信完了判定を受けて、新たなデータを移動体通信装置に対して送信する。
【０００４】
誤り判定処理の結果、誤りであると判断された場合、移動体通信装置は基地局に対してデータの再送要求をＮＡＣＫ信号の送信により行う。そして、基地局より再送されたデータに対して再びデータを復号し、誤り訂正処理を行う。
【０００５】
以上の処理を誤りが無くなり、移動体通信装置がＡＣＫ信号を送信するまで、基地局はデータを送信し続け、移動体通信装置はそのデータの受信、復号、誤り訂正、誤り判定の処理を繰り返すことになる。
【０００６】
この構成の場合、通信状態が悪く、ノイズを多く含んだデータを受信した場合には、データに誤りが発生する確率が高く、基地局に対するデータの再送要求が頻繁に起こることになり、スループットが低下するという問題が生じることになる。さらに、データの復号、誤り訂正処理、誤り判定処理の一連の処理を逐次行うことになり、消費電力の増加につながることになる。
【０００７】
このような問題を解決するため、受信データの電界強度をサンプリングし、該サンプリングデータから得られる無線回線の状態を規定するパラメータを基に、パケットのサイズと連送回数とを決定して、送信データを分割してパケットに格納し、該パケットをその連送回数だけ連送するようにした従来技術がある（例えば、特許文献１参照。）。
【特許文献１】特開２００１−１９７１４４号公報
【発明の開示】
【発明が解決しようとする課題】
【０００８】
しかしながら、上述の従来技術においては、受信データの電界強度をサンプリングし、無線回線の状態に応じてパケットのサイズと連送回数とを制御しているものの、その連送されて受信したパケットの全てについて誤り訂正処理と誤り判定処理とを行う必要があるため、通信のスループットを向上させることは可能であるが、誤り訂正処理と誤り判定処理の回数自体は減少しないので、移動体通信システム内において稼動部分が多くなり、消費電力を抑えることが困難である、という課題がある。
【０００９】
そこで、本発明は、データを連送する場合でも、通信のスループットを向上させたまま、誤り訂正処理と誤り判定処理の回数を減少させて消費電力を抑えることができる移動体通信装置、無線通信方法、無線通信用プログラムを提供することを目的とする。
【課題を解決するための手段】
【００１０】
上記課題を解決するために、本発明では、データを受信する度に通信状態を判定し、判定した通信状態に基づいてそのデータを再送するよう前記基地局に対し要求すると共に、前記基地局が複数回送信した同一データを復号して１のデータに合成し、その合成データについて誤り訂正処理を行う、構成を採る。
【発明の効果】
【００１１】
本発明によれば、データを受信する度に毎回通信状態を判定し、判定した通信状態に基づいてそのデータを再送するよう基地局に対し要求すると共に、基地局が複数回送信した同一データを復号して１のデータに合成して誤り訂正処理を行うようにしたので、基地局が通信状態に基づきデータを連送する場合でも、誤り訂正処理および誤り判定処理の回数を低減することができ、通信のスループットを向上させたまま、消費電力を抑えることができる。
【発明を実施するための最良の形態】
【００１２】
以下、本発明の一実施の形態について説明する。
【００１３】
図１に、本発明の本実施の形態の移動体通信装置の構成を示す。
【００１４】
図１において、本実施の形態の移動体通信装置１０１は、受信部１０２と、デコーダ部１０３と、送信部１０４と、誤り判定部１０５と、再送要求判定部１０６と、を備えている。
【００１５】
受信部１０２は、基地局１００から送信されたデータを受信し、基地局１００で変調されたデータを復調してデコーダ部１０３へ渡すものである。
【００１６】
デコーダ部１０３は、受信部１０２が受信した基地局１００からのデータを受けて復号し、同一のデータについて１のデータに合成してから誤り訂正処理を行うものである。
【００１７】
誤り判定部１０５は、復号および誤り訂正されたデータに誤りが無いかＣＲＣ等により判定するものである。
【００１８】
送信部１０４は、基地局１００に対してデータや信号を送信するものである。
【００１９】
再送要求判定部１０６は、図２に示す再送回数判定テーブル１０６１を有しており、受信部１０３において受信されたデータの電界強度を測定し、再送回数判定テーブル１０６１を参照して、受信データの電界強度に基づき通信状態のランクを設定して、通信状態のランクに応じ基地局１００への再送回数を判定する共に、データ信頼度の更新や、データの誤り率であるブロックエラーレートに応じた基地局１００への再送回数を判定するものである。
【００２０】
図２は、再送要求判定部１０６が電界強度をもとに再送回数等を判定する際に使用する再送回数判定テーブル１０６１の一例である。
【００２１】
図２に示すように、再送回数判定テーブル１０６１には、Ａ〜Ｄの４段階の通信状態と、再送回数と、データ信頼度と、ブロックエラーレートとが対応して設定されている。再送要求判定部１０６は、受信データの電界強度に基づき、再送回数判定テーブル１０６１を参照してＡ〜Ｄの４段階の通信状態を指定する。
【００２２】
例えば、最も通信状態の良いランクＡの場合は、図２に示すように、再送回数は“０”、データ信頼度は”１”、データの誤り率であるブロックエラーレートは“０または測定せず”と設定されている一方、最も通信状態の悪いランクＤの場合は、再送回数は“３”、データ信頼度は”１／４”、ブロックエラーレートは“γ”等と設定されている。
【００２３】
再送要求判定部１０６は、詳細は後述するが、図２に示す再送回数判定テーブル１０６１を参照して、通信状態のランクＡ〜Ｄに基づいて再送回数を判定すると共に、データ信頼度を加算して更新し、さらには誤り訂正処理に誤りがあった場合、そのデータの誤り率であるブロックエラーレートに基づいて、再度、再送回数を判定する。
【００２４】
次に動作を説明する。
【００２５】
図３は、移動体通信装置１０１が基地局１００から受信したデータに対する処理を示すフローチャートである。
【００２６】
移動体通信装置１０１では、受信部１０２が基地局１００からデータを受信すると復調して（ステップＳ１１）、復調した受信データを再送要求判定部１０６へ出力する。
【００２７】
再送要求判定部１０６では、受信部１０２から受けた受信データの電界強度を測定して、（ステップＳ１２）、測定した受信データの電界強度に基づいて、図２に示す再送回数判定テーブル１０６１を参照して、通信状態を判定する（ステップＳ１３）。また、その通信状態に基づきデータの信頼度を、そのデータと同一データを前に受信したときのデータ信頼度に加算して更新し（ステップＳ１４）、更新したデータの信頼度と所定の閾値とを比較して、更新したデータの信頼度が所定の閾値、例えば、１以上であるか否かを判断する（ステップＳ１５）。
【００２８】
具体的には、例えば、この移動体通信装置１０１からの前の再送回数の要求により、基地局１００に対し例えば、再送回数３回が指示されていて、１回目の受信データの通常状態がＢで、データ信頼度が１／２の場合に、２回目の受信データの通信状態がＣになり、データ信頼度が１／３に下がった場合は、このステップＳ１５におけるデータ信頼度の更新処理により、データ信頼度は、１／２＋１／３＝５／６となる。
【００２９】
このように、再送要求判定部１０６は、再送回数判定テーブル１０６１に示すように、データの信頼度として、通信状態に基づいて重み付けされた値を保持し、再送されるデータの電界強度が変化した場合は、電界強度に対応したデータの信頼度をそのデータと同一データを前に受信したときのデータ信頼度に加算して更新することにより、常に通信状態の変化に対応してデータの信頼度を更新する。そして、このデータの信頼度が、所定のある閾値（本実施の形態では、例えば１とする）以上になった場合には、再送回数分データが送信されてこない場合でも、本実施の形態では、再送回数分データだけデータが送信されてきたものとみなす。これにより、通信状態の変化に対し、適応的に、すなわち通信状態が良くなれば最初指定した再送回数より少ない再送回数でも十分とする一方、通信状態が悪くなれば最初指定した再送回数より多い再送回数を再度指定することにより対応して、データの再送回数を逐次更新していくことができる。
【００３０】
そして、再送要求判定部１０６は、更新したデータの信頼度が閾値未満であると判定した場合には（ステップＳ１５“Ｎ”）、再送回数判定テーブル１０６１を参照して、今回測定した通信状態に対応した再送回数だけ再送するよう指示したＮＡＣＫ信号を、送信部１０４を介し基地局１００へ送信して、基地局１００にデータの再送を続けさせる（ステップＳ２０）。
【００３１】
これに対し、更新したデータの信頼度が閾値以上になったと判断した場合には（ステップＳ１５“Ｙ”）、再送要求判定部１０６は、デコーダ部１０３へデータの合成および誤り訂正処理の指示を出力する。
【００３２】
このように、本実施の形態では、データを受信する度に、通信状態を判定して、データ信頼度を更新しているので、前のデータ受信時に、例えば、移動体通信装置１０１が電車やビルの中等の通信状態の悪い場所にいてデータの再送回数を例えば３回と判断しても、その場所から屋外等の通信状態の良い場所に移動した場合、通信状態に対応したデータの信頼度も向上するので、設定したデータの再送回数未満前、例えば、再送回数１回等でも、デコーダ部１０３にデータの合成および誤り訂正処理を行わせる。それとは逆に、移動体通信装置１０１が通信状態の良い場所から悪い場所に移動した場合には、前にデータの再送回数を例えば１回等と少なく判断しても、通信状態に対応したデータの信頼度が低下していれば、それ以上の回数再送させた後に、デコーダ部１０３にデータの合成および誤り訂正処理を行わせることもあり得る。
【００３３】
すると、デコーダ部１０３は、今まで連送されてきた複数の同一データを復号すると共に合成し、合成したデータについて誤り訂正処理を実行して、誤り訂正処理後のデータを誤り判定部１０５へ出力する（ステップＳ１６）。なお、復号および合成のタイミングは、再送要求判定部１０６からの誤り訂正処理の指示が入力する前でも、入力後でも構わない。
【００３４】
誤り判定部１０５では、デコーダ部１０３から合成および誤り訂正処理されたデータが入力すると、そのデータについて誤り判定処理を行い、誤りがないか否かを判定する（ステップＳ１７）。
【００３５】
その結果、誤りがあると判定した場合（ステップＳ１７“Ｎ”）、誤り判定部１０５は、再送要求判定部１０６へ指示を出し、再送要求判定部１０６は、そのデータの誤り率であるブロックエラレートを測定して（ステップＳ１９）、図２に示す再送回数判定テーブル１０６１を参照し再送回数を計算し直し、送信部１０４を介し、再計算した再送回数だけ再送をするよう指示したＮＡＣＫ信号を基地局１００に対し送信する（ステップＳ２０）。
【００３６】
例えば、測定したブロックエラーレートがα％より小さい場合は、再送要求判定部１０６は、図２に示す再送回数判定テーブル１０６１を参照して、再送回数さらに１回追加するように指示したＮＡＣＫ信号を基地局１００に送信する一方、測定したブロックエラーレートがα％より大きくβ％より小さい場合は、再送回数さらに２回追加するように指示し、測定したブロックエラーレートがγ％より大きい場合は、再送回数さらに３回追加するように指示したＮＡＣＫ信号を基地局１００に送信する。
【００３７】
これに対し、誤り判定部１０５は、誤り判定処理の結果、誤りがないと判定した場合（ステップＳ１７“Ｙ”）、再送要求判定部１０６へ指示を出し、再送要求判定部１０６は、送信部１０４を介し、ＡＣＫ信号を基地局１００に対し送信して、再送されたデータが誤りなく復元できたことを通知する（ステップＳ１８）。
【００３８】
このように、この移動体通信装置１０１では、誤り訂正処理の結果が誤りでも、さらにブロックエラーレートに応じて再送回数を追加することにより、確実に受信データを復元することができる。
【００３９】
また、この移動体通信装置１０１では、通信状態に応じて適応的に基地局１００に再送させて受信した複数の同一データを１に合成し、その合成データについて誤り訂正処理および誤り判定を行っているので、通信のスループットを向上させた上で、誤り訂正処理および誤り判定処理の回数を低減化できることになる。
【００４０】
次に、図１に示す実施の形態の移動体通信装置１０１のデータの流れについて、具体的に説明する。
【００４１】
図４は、実施の形態の移動体通信装置１０１におけるパケット通信の送信順序を示すシーケンス図である。
【００４２】
図４において、基地局１００がパケット１の送信後、パケット２を移動体通信装置１０１に対して送信しているものとする。
【００４３】
ここで、基地局１００がパケット１を送信したときの通信状態が悪かった場合、移動体通信装置１０１では、受信部１０２がパケット１を受信し復調して（ステップＳ１１）、再送要求判定部１０６がパケット１の電界強度を測定し（ステップＳ１２）、測定した電界強度に基づいて通信状態を“Ｂ“と判断し（ステップＳ１３）、図３に示す再送回数判定テーブル１０６１を参照して、データの信頼度を更新し（ステップＳ１４）、更新したデータの信頼度が所定の閾値未満である場合（ステップＳ１５“Ｎ”）、再送回数判定テーブル１０６１を参照して、再送回数２回をＮＡＣＫ信号により基地局１００へ送信する（ステップＳ２０）。なお、その際、デコーダ部１０３は、そのメモリ（図示せず）に、受信部１０２からのパケット１のデータを復号等して保存しておく。
【００４４】
すると、基地局１００は、移動体通信装置１０１からのパケット１に対する再送回数１回の指示に対して、パケット２の送信後、パケット１’としてパケット１のデータを再び送信する。
【００４５】
移動体通信装置１０１では、受信部１０２がパケット１’を受信して復調し（ステップＳ１１）、再送要求判定部１０６がその受信パケット１’の電界強度を測定して（ステップＳ１２）、通信状態を判定し（ステップＳ１３）、データ信頼度を更新した結果（ステップＳ１４）、データ信頼度が所定の閾値以上になった場合（ステップＳ１５“Ｙ”）、再送要求判定部１０６は、再送回数を十分に満たすデータを受信できたものと判断し、デコーダ部１０３へ受信パケットを復号して合成し誤り訂正処理をするように指示を出す。
【００４６】
すると、デコーダ部１０３は、そのメモリ（図示せず）に格納しておいたパケット１と、パケット１’とを加算や平均等して合成し、パケット１＋１’について誤り訂正処理を行う（ステップＳ１６）。なお、この合成処理の際、フィルタ処理等をあわせて行っても勿論良い。
【００４７】
このようにパケット１＋１’は、パケット１とパケット１’という同一データを合成することにより、ランダムな雑音等は相殺される一方、信号部分は顕在化して、誤り訂正の尤度が上がるため、データとしての信頼性が向上する。
【００４８】
そして、誤り判定部１０５が、デコーダ部１０３にてパケット１＋１’に合成され、かつ、誤り訂正処理されたパケット１に誤りが無いかを判定し（ステップＳ１７）、誤りが無いと判断した場合は（ステップＳ１７“Ｙ”）、基地局１００に対し、ＡＣＫ信号を送信し（ステップＳ１８）、データが正常に受信できたことを基地局１００に知らせる。
【００４９】
図５は、誤り判定部１０５において誤りと判定されたときのパケット通信の送信順序を示すシーケンス図である。
【００５０】
図４においては、パケット１とパケット１’を合成してパケット１＋１’とし、図３のステップＳ１７の誤り判定処理の際、誤り判定を行って誤りが検出されなかったが、図５に示す場合は、ステップＳ１７の誤り判定処理の際、誤りありと判定された場合について説明する。
【００５１】
つまり、図５に示す場合、パケット１とパケット１’を合成してパケット１＋１’について誤り訂正処理を行い、誤り判定処理の結果、誤りありと判定された場合（ステップＳ１７“Ｎ”）、誤り判定部１０５は、合成したパケット１＋１’のブロックエラーレートを測定して（ステップＳ１９）、測定したブロックエラーレート再送要求判定部１０６へ出力する。
【００５２】
再送要求判定部１０６は、図２に示す再送回数判定テーブル１０６１を参照して、誤り判定部１０５からのブロックエラーレートに基づき再送回数を再び設定し直し、送信部１０４を介し基地局１００に対して再送要求を行う。
【００５３】
例えば、測定したブロックエラーレートがα％より小さい場合は、再送要求判定部１０６は、再送回数をさらに１回追加するようにＮＡＣＫ信号を基地局１００に送信する一方、測定したブロックエラーレートがα％より大きくβ％より小さい場合は、再送回数をさらに２回追加するように、またブロックエラーレートがγ％より大きい場合は、再送回数さらに３回追加するようにＮＡＣＫ信号を基地局１００に送信する。これにより、誤り訂正処理の結果が誤りでも、さらにブロックエラーレートに応じて再送回数を追加することにより、確実に受信データを復元することが可能となる。
【００５４】
すると、基地局１００は、移動体通信装置１０１からの再度のＮＡＣＫ信号による再送要求に対して、パケット１’の再送の後に、パケット１”を再送する。
【００５５】
移動体通信装置１０１では、受信部１０２がパケット１”を受信し復調して（ステップＳ１１）、デコーダ部１０３へパケット１”を渡すと共に、その受信パケット１”の電界強度を測定して（ステップＳ１２）、通信状態を判断して（ステップＳ１３）、データの信頼度を更新して（ステップＳ１４）、データの信頼度が閾値以上であるか否かを判定する（ステップＳ１５）。なお、デコーダ部１０３では、これまで受信し合成したパケット１＋１’に、新たに受信したパケット１”を復号して合成し、合成パケット１＋１’＋１”とする。
【００５６】
そして、再送要求判定部１０６は、データの信頼度が閾値以上であると判断した場合（ステップＳ１５“Ｙ”）、デコーダ部１０３に誤り訂正処理をするよう指示を出し、デコーダ部１０３は、合成したパケット１＋１’＋１”に誤り訂正処理を行い（ステップＳ１６）、誤り判定部１０５が誤り判定処理を行う（ステップＳ１７）。
【００５７】
この結果、このデータに誤りが無いと判定された場合（ステップＳ１７“Ｙ”）、再送要求判定部１０６は、送信部１０４を介し基地局１００に対してＡＣＫ信号を送信して、パケット１が受信できたことを知らせる。
【００５８】
これに対し、またこのデータに誤りがあると判定された場合（ステップＳ１７“Ｎ”）、再送要求判定部１０６は、再度、そのブロックエラーレートを測定し（ステップＳ２０）、図２に示す再送回数判定テーブル１０６１を参照してそのブロックエラーレートに基づき再送回数を決定して、送信部１０４を介し基地局１００に対してＮＡＣＫ信号を送信して新たな再送回数を通知することになる。
【００５９】
従って、本実施の形態によれば、再送要求判定部１０６が通信状態に基づき基地局１００への再送回数を設定し、デコーダ部１０３が基地局１００から再送されてきた複数の同一データを復号して１のデータに合成し、その合成データについて誤り訂正処理を行うようにしたので、基地局１００が同一データを連送する場合でも、移動体通信装置１０１における誤り訂正処理および誤り判定処理の回数を低減することができ、通信のスループットを向上させたまま、消費電力を抑えることができる。
【００６０】
特に、本実施の形態では、図２の再送回数判定テーブル１０６１に示すように、通信状態に応じて、重み付けをした再送回数と、データの信頼度とを設定しておき、データを受信する度に、受信データの電界強度を測定して、データの信頼度を更新して、その累計に応じた再送回数を基地局１００へ指示し、データの信頼度の累計が所定の閾値以上になった場合、デコーダ部１０３は今まで受信した同一データを合成して１のデータとして誤り訂正を行うようにしたため、誤り訂正処理を行う回数を削減できるたけでなく、例えば、移動体通信装置１０１が通信状態の悪いところから良いところへ移動した場合でも、データのスループットの低下を防止することができる。
【００６１】
つまり、移動体通信装置１０１は移動して使われる場合が多く、通信状態が常に変化ししていることが予想される。このとき、１回目のデータの受信状態が悪く、再送回数を多く設定した場合、従来の装置では、移動体通信装置１０１が移動して通信状態が良くなったとしても、通信状態の悪いときに決定された再送回数により複数回データを送受信することになり、データのスループットの低下につながってしまう。これに対し、本実施の形態では、再送要求判定部１０６が受信したデータの電界強度を、データを受信する度に測定することにより、通信状態の変化に随時対応しており、例えば、１回目の受信データの電界強度が低く再送回数を多く設定したとしても、２回目の受信データの電界強度が高ければ、１回目よりデータの信頼度が高くなるので、再送回数を少なく設定し直して基地局１００へ通知することになる。
【００６２】
また、移動体通信装置１０１が通信状態の良いところから悪いところへ移動した場合、例えば、１回目の受信データの電界強度が高く再送回数を低く設定したとしても、２回目の受信データの電界強度が低い場合には、１回目よりデータの信頼度が低くなるので、再送回数を多く設定し直して基地局１００へ通知することが可能となり、誤り訂正処理後に誤りを判定した際、誤る回数を低減することができ、通信のスループットの向上を図ることができるだけでなく、誤り訂正処理および誤り判定処理の回数も低減することでき、消費電力の削減することができる。
【００６３】
なお、本実施の形態の移動体通信装置１０１は、更新したデータの信頼度が閾値未満である場合、再送要求判定部１０６は、再送回数判定テーブル１０６１を参照して、今回測定した通信状態に応じた再送回数だけ再送するよう基地局１００に対し要求するように説明したが、本発明では、これに限らず、更新したデータの信頼度が閾値未満である場合には、通信状態にかかわらず、常に、再送回数１回を基地局１００に対し要求するようにしても良いし、更新したデータの信頼度が閾値未満である場合、更新したデータの信頼度に応じ、例えば、更新したデータの信頼度が１／３＋１／４＝７／１２であれば、再送回数判定テーブル１０６１を参照して、１／２＜７／１２＜１であるので、再送回数１回等と判断して、更新したデータの信頼度に応じた再送回数だけ再送するよう基地局１００に対し要求するようにしても勿論よい。このようにしても、本実施の形態では、データを受信する度に、毎回通信状態を判定してデータの信頼度を更新して閾値と比較しているため、更新したデータの信頼度が閾値未満である場合には、閾値以上になるまで、常に、基地局１００に対し再送要求が送信されるので、通信状態に応じた再送回数だけ再送するよう指示する場合と同様の効果が得られる。
【００６４】
また、このことは、再送要求判定部１０６が誤りありと判断し、ブロックエラーレートに応じた再送回数を決定して再送するよう基地局１００に対し要求する場合にも同様に当てはまり、誤りがある場合は、ブロックエラーレートとは関係なく、再送回数１回等を基地局１００に対し要求するようにしても勿論よい。このようにすれば、Ｓ１９のブロックエラーレートの測定処理を省略することができ、この点でも稼動部分が少なくなるので、消費電力の削減することができる。
【００６５】
また、本実施の形態では、図１に示すように、移動体通信装置１０１の構成をブロック図により示してハードウエア的に説明したが、本発明では、これに限らず、この移動体通信装置１０１を、ＣＰＵと、そのＣＰＵを前述のように実行させるための無線通信用プログラムを記憶したハードディスクや、メモリ等の記憶装置を有するＰＣ等の汎用のコンピュータがソフトウエア的に実行するようにしても勿論良い。この場合、前述の移動体通信装置としての機能を果たすための無線通信用プログラムは、ＣＤ等の記録媒体に記録されていて、その記録媒体から読み出してコンピュータ内の記憶装置にインストールしたり、またはインターネット等のネットワークを介してサーバ等からダウンロードして記憶装置に記憶させる。このようにすれば、ＰＣ等の汎用のコンピュータでも、前述の移動体通信装置としての機能を果たすためのプログラムを実行することにより、図３に示す無線通信方法を実行するようにしても勿論よい。
【産業上の利用可能性】
【００６６】
本発明の移動体通信装置、無線通信方法、無線通信用プログラムによれば、データを連送する場合でも、通信のスループットを向上させたまま、誤り訂正処理と誤り判定処理の回数を減少させて消費電力を抑えることができる、という有利な効果を有し、移動体通信装置の消費電力の削減に貢献することができる。
【図面の簡単な説明】
【００６７】
【図１】本発明の実施の形態の無線通信システムの構成を示すブロック図
【図２】再送要求判定部の再送回数判定テーブルの一例を示す図
【図３】移動体通信装置が基地局から受信したデータに対する処理を示すフローチャート
【図４】実施の形態の移動体通信装置におけるパケット通信の送信順序を示すシーケンス図
【図５】実施の形態の誤り判定部において誤りと判定されたときのパケット通信の送信順序を示すシーケンス図
【符号の説明】
【００６８】
１００  基地局
１０１  移動体通信装置
１０２  受信部
１０３  デコーダ部
１０４  送信部
１０５  誤り判定部
１０６  再送要求判定部
【図１】
2006109155.tif 000003
【図２】
2006109155.tif 000004
【図３】
2006109155.tif 000005
【図４】
2006109155.tif 000006
【図５】
2006109155.tif 000007